(57)【要約】【課題】複数人によるタッチパネルへの操作に関するタッチ座標およびタッチパネル操作者の情報を同一のデータフォーマットに格納し、他の外部機器に伝送する。【解決手段】データ伝送装置は、タッチパネルと、タッチパネルを支持する脚部と、脚部に設けられた接続電極と、接続電極に対向して設けられた検知電極と、接続電極と接続する電線と、電線を介して接続電極と電気的に接続され、タッチパネルからの信号と検知電極からの信号を基に、ユーザのタッチパネルに対するタッチ位置とユーザの位置とを検知する検知部と、所定のデータフォーマットにタッチ位置の情報とユーザの位置の情報との両方を含めて他の外部機器に伝送する通信部と、を備える。【選択図】図１２
2020119237.tif 000002
【特許請求の範囲】
【請求項１】
タッチパネルと、
前記タッチパネルを支持する脚部と、
前記脚部に設けられた接続電極と、
前記接続電極に対向して設けられた検知電極と、
前記接続電極と接続する電線と、
前記電線を介して前記接続電極と電気的に接続され、前記タッチパネルからの信号と前記検知電極からの信号を基に、ユーザの前記タッチパネルに対するタッチ位置と前記ユーザの位置とを検知する検知部と、
所定のデータフォーマットに前記タッチ位置の情報と前記ユーザの位置の情報との両方を含めて他の外部機器に伝送する通信部と、を備える、
データ伝送装置。
【請求項２】
前記所定のデータフォーマットは、前記タッチパネルに対して同時に行われる複数のタッチ操作を識別するマルチタッチ識別情報を格納可能であり、
前記通信部は、前記所定のデータフォーマットに、前記マルチタッチ識別情報をさらに含めて伝送する、
請求項１に記載のデータ伝送装置。
【請求項３】
前記所定のデータフォーマットは、前記マルチタッチ識別情報と前記ユーザの位置の情報とを所定桁数のビット構造により指定可能なレコードを有する、
請求項２に記載のデータ伝送装置。
【請求項４】
前記タッチ位置の情報および前記ユーザの位置の情報のうち少なくとも一つに基づいて前記外部機器により選択されたコンテンツのデータを、前記通信部を介して受信して前記タッチパネルに表示する表示制御部、をさらに備える、
請求項１に記載のデータ伝送装置。
【請求項５】
タッチパネルを備えるデータ伝送装置におけるデータ伝送方法であって、
前記タッチパネルからの信号を基に、ユーザの前記タッチパネルに対するタッチ操作のタッチ位置を検知するステップと、
前記タッチパネルを支持する脚部に設けられた接続電極に対向して設けられた検知電極からの信号を基に、前記ユーザの位置を検知するステップと、
所定のデータフォーマットに前記タッチ位置の情報と前記ユーザの位置の情報との両方を含めて他の外部機器に伝送するステップと、を有する、
データ伝送方法。
【発明の詳細な説明】
【技術分野】
【０００１】
本開示は、データ伝送装置およびデータ伝送方法に関する。
【背景技術】
【０００２】
特許文献１には、タッチパネルが設けられた表示部とカメラとを備える電子黒板が開示されている。このカメラは、タッチパネルから所定距離の位置に設けられた座席領域内のユーザの顔は検出可能であって、かつ、タッチパネルに対してタッチ操作可能な操作領域内のユーザの顔は検出不可である撮像範囲の画像を撮影するように配置される。タッチ操作が検出されないときのカメラの第１画像に含まれるが、タッチ操作が検出されたときのカメラの第２画像に含まれないユーザが現在のタッチパネル操作者として推定される。
【先行技術文献】
【特許文献】
【０００３】
【特許文献１】特開２０１６−１２２２２６号公報
【発明の概要】
【発明が解決しようとする課題】
【０００４】
本開示は、複数人によるタッチパネルへの操作に関するタッチ座標およびタッチパネル操作者の情報を同一のデータフォーマットに格納し、他の外部機器に伝送可能なデータ伝送装置およびデータ伝送方法を提供することを目的とする。
【課題を解決するための手段】
【０００５】
本開示は、タッチパネルと、前記タッチパネルを支持する脚部と、前記脚部に設けられた接続電極と、前記接続電極に対向して設けられた検知電極と、前記接続電極と接続する電線と、前記電線を介して前記接続電極と電気的に接続され、前記タッチパネルからの信号と前記検知電極からの信号を基に、ユーザの前記タッチパネルに対するタッチ位置と前記ユーザの位置とを検知する検知部と、所定のデータフォーマットに前記タッチ位置の情報と前記ユーザの位置の情報との両方を含めて他の外部機器に伝送する通信部と、を備える、データ伝送装置を提供する。
【０００６】
また、本開示は、タッチパネルを備えるデータ伝送装置におけるデータ伝送方法であって、前記タッチパネルからの信号を基に、ユーザの前記タッチパネルに対するタッチ操作のタッチ位置を検知するステップと、前記タッチパネルを支持する脚部に設けられた接続電極に対向して設けられた検知電極からの信号を基に、前記ユーザの位置を検知するステップと、所定のデータフォーマットに前記タッチ位置の情報と前記ユーザの位置の情報との両方を含めて他の外部機器に伝送するステップと、を有する、データ伝送方法を提供する。
【発明の効果】
【０００７】
本開示によれば、複数人によるタッチパネルへの操作に関するタッチ座標およびタッチパネル操作者の情報を同一のデータフォーマットに格納し、他の外部機器に伝送可能である。
【図面の簡単な説明】
【０００８】
【図１】図１は、実施の形態１に係るユーザ検知装置１の外観図である。
【図２】図２は、実施の形態１に係るユーザ検知装置１の外観図である。
【図３】図３は、実施の形態１に係るテーブル１ａの脚部１ｃと、マット１ｂとの接続方法の一例を示す図である。
【図４】図４は、ユーザ検知システム２００のシステム構成例を示すブロック図である。
【図５】図５は、実施の形態１に係るユーザ検知装置１の詳細図である。
【図６】図６は、マット電極８がＴｘ側（図では一例としてＴｘ８）に接続された場合の実施の形態１に係るユーザ検知装置１の模式図である。
【図７】図７は、マット電極８がＴｘ側（図では一例としてＴｘ８）に接続された場合の実施の形態１に係るユーザ検知装置１の回路図である。
【図８】図８は、マット電極８がＲｘ側（図では一例としてＲｘ９）に接続された場合の実施の形態１に係るユーザ検知装置１の模式図である。
【図９】図９は、実施の形態１に係る２人のユーザの位置とタッチ操作との関係を示した図である。
【図１０】図１０は、実施の形態１に係るユーザ検知装置１の動作タイミング図である。
【図１１】図１１は、実施の形態１に係るユーザ検知装置１の受信データのイメージ図である。
【図１２】図１２は、実施の形態１に係るユーザ検知装置１から伝送されるタッチ情報データのデータフォーマットを示す図である。
【図１３】図１３は、タッチ情報の第１例を示す図である。
【図１４】図１４は、タッチ情報の第２例を示す図である。
【図１５】図１５は、タッチ情報の第３例を示す図である。
【図１６】図１６は、実施の形態１に係るユーザ検知装置１の動作手順例を示すフローチャートである。
【発明を実施するための形態】
【０００９】
（本開示の一形態に至る経緯）
特許文献１では、会議室において複数の人物が参加して電子黒板を用いて社内会議を行うユースケースが想定されており、電子黒板により推定されたタッチパネル操作者のユーザＩＤとタッチ座標とが対応付けて保存されることが開示されている。しかしながら、特許文献１では、この対応付けられたタッチ操作者のユーザＩＤとタッチ座標とを用いて他の処理（例えばタッチ操作者あるいはタッチ座標に関連するコンテンツをタッチパネルに表示する処理）を実行することは想定されていない。言い換えると、タッチ操作者のユーザＩＤとタッチ座標のデータとは、電子黒板のＲＡＭ（Ｒａｎｄｏｍ  Ａｃｃｅｓｓ  Ｍｅｍｏｒｙ）に格納されるものであり、他の外部機器（例えばユーザＩＤあるいはタッチ座標に応じたコンテンツの選択を指示するコンピュータ）に伝送されることは想定されていない。
【００１０】
ここで、タッチ操作者のユーザＩＤとタッチ座標のデータとが他の外部機器に伝送されることを想定する。例えばＷｉｎｄｏｗｓ（登録商標）等の標準的かつ汎用的なＯＳ（Ｏｐｅｒａｔｉｎｇ  Ｓｙｓｔｅｍ）に予めインストールされているデバイスドライバを用いて伝送可能なデータフォーマットには、タッチ座標だけでなく、そのタッチに関連するＩＤを格納可能なＩＤフィールドが設けられている。ところが、特許文献１等の従来技術においては、タッチ操作者のユーザＩＤとタッチ座標のデータとを他の外部機器に伝送するために、ＩＤフィールドにタッチ操作者のユーザＩＤを格納してタッチ座標のデータと関連付けする技術の開示あるいはその示唆はなかった。つまり、タッチ操作者のユーザＩＤとタッチ座標のデータとを同時に伝送することは困難であった。従って、開発者の視点で考えると、タッチ操作者のユーザＩＤとタッチ座標のデータとを他の外部機器にそれぞれ伝送するためのデバイスドライバを別個に開発（作成）する必要があり、開発コストの上昇が避けられなかった。また、異なるデバイスドライバを介してタッチ操作者のユーザＩＤとタッチ座標とがそれぞれ伝送された場合、受信側の外部機器（上述した他の外部機器）は、受信されたユーザＩＤとタッチ座標とが同一のタッチ操作者に関連するデータであることを把握する必要がある。このため、送信側（例えば電子黒板）は、ユーザＩＤとタッチ座標とが同一のタッチ操作者で紐付けされるために、別途、共通的なＩＤ等のデータをユーザＩＤとタッチ座標とにそれぞれに対応付けて伝送する必要があり、手間がかかった。
【００１１】
以下の実施の形態１では、上述した従来の事情に鑑みて、複数人によるタッチパネルへの操作に関するタッチ座標およびタッチパネル操作者の情報を同一のデータフォーマットに格納し、他の外部機器に伝送可能なデータ伝送装置およびデータ伝送方法の例を説明する。
【００１２】
以下、適宜図面を参照しながら、本開示に係るデータ伝送装置およびデータ伝送方法の構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために、提供されるのであって、これらにより特許請求の範囲に記載の主題を限定することは意図されていない。
【００１３】
（実施の形態１）
［１−１．概要］
実施の形態１に係るユーザ検知装置は、タッチパネルを用いる。ユーザ検知装置は、複数のユーザ（例えばユーザＡおよびユーザＢ）がそれぞれタッチパネルを交互あるいは同時にタッチする場合に、それぞれがタッチしたタッチパネル上の位置と、ユーザＡおよびユーザＢのそれぞれの位置とを関連付けてこれらの位置を検知する。以下、ユーザがタッチしたタッチパネル上の位置をタッチ位置という。また、ユーザの位置をユーザ位置という。ユーザＡおよびユーザＢのユーザ位置は、タッチ位置を検知するユーザ検知装置により検知される。
【００１４】
すなわち、実施の形態１に係るユーザ検知装置は、タッチパネルの簡単な構成とタッチパネルの配置環境とを利用して、ユーザＡおよびユーザＢの操作に関する情報（例えばタッチ位置とユーザ位置）を算出できる。
【００１５】
［１−２．構成］
図１および図２は、実施の形態１に係るユーザ検知装置１の外観図である。図３は、実施の形態１に係るテーブル１ａの脚部１ｃと、マット１ｂとの接続方法の一例を示す図である。図４は、実施の形態１に係るユーザ検知システム２００のシステム構成例を示すブロック図である。
【００１６】
図１において、ユーザ検知装置１（電子機器の一例）は、タッチパネル１０１（図２参照）を内蔵して上面側にディスプレイ２（図４参照）を有するテーブル１ａと、地面（例えば床）に配置されたマット１ｂとにより構成される。ディスプレイ２は必ずしも必要ではなく、上面側をスクリーンとしてプロジェクタ等（図示略）で上面側に情報を表示してもよい。テーブル１ａは脚部１ｃを有する。本実施の形態では、脚部１ｃはユーザ毎に設けている（言い換えると、座る位置毎に設けている）。接続電極の特徴について詳しくは後述する。テーブル１ａは、検知部１０２（図４参照）を有する。検知部１０２の動作について詳しくは後述する。マット１ｂは、複数のマットにより構成され、ユーザの足元に配置される。本実施の形態では、マット１ｂはユーザ毎に設けている（言い換えると、座る位置毎に設けている）。
【００１７】
図２において、脚部１ｃは、タッチパネル１０１を床上で支持している。脚部１ｃ内を電線１ｄが通っている。電線１ｄは脚部１ｃ内を通ることなく脚部１ｃ外に位置してもよいが、脚部１ｃ内を通ることにより電線１ｄがユーザの足元に位置することがなくなり、ユーザが操作するときに足元を気にする必要がなくなる。また、電線１ｄが脚部１ｃ内を通ることにより、テーブル１ａを移動させるときに電線１ｄを気にする必要がなくなる。
【００１８】
図３において、脚部１ｃは、その底面に接続電極１ｅｃを有する。電線１ｄは、検知部１０２と接続電極１ｅｃとを電気的に接続する。脚部１ｃは、電線１ｄにより検知部１０２と接続された接続電極１ｅｃを有する。接続電極１ｅｃには、例えば金属が用いられた端子が用いられる。接続電極１ｅｃは、金属端子がむき出しでもよいが、本実施の形態では、絶縁体１ｆｃで覆われている。マット１ｂは、マット電極８を有する。マット電極８には、金属からなる端子が用いられる。マット電極８は、金属端子がむき出しでもよいが、本実施の形態では、絶縁体１ｆｂで覆われている。接続電極１ｅｃおよびマット電極８は、金属端子剥き出しではなく、絶縁体で覆われることで、金属端子の汚れおよび酸化等を抑制することができる。
【００１９】
マット１ｂ上の適切な位置に脚部１ｃが載置されると、接続電極１ｅｃとマット電極８とは容量結合という物理現象（つまり接続電極１ｅｃとマット電極８とがコンデンサとして動作する現象）により、電気的に接続される。接続電極１ｅｃまたはマット電極８のいずれか一方のみが絶縁体で覆われていない場合も、同様に容量結合が発生する。接続電極１ｅｃおよびマット電極８のいずれもが絶縁体で覆われていない場合は、端子同士が直接的に接触することで導通し、電気的に接続される。
【００２０】
ユーザは、椅子に座る等して、マット１ｂに足をつけた状態で、テーブル１ａをタッチしてテーブル１ａに配置されたタッチパネル１０１に表示される情報に対してタッチパネル１０１を操作する。なお、ユーザ検知装置１は、複数のユーザのそれぞれの交互あるいは、同時の操作（つまりマルチタッチ）を検知可能である。
【００２１】
また図１では、ディスプレイ２をテーブル１ａに内蔵しているため、座って操作しているが、ユーザＡ，Ｂがそれぞれ立って操作するようにしてもよい。
【００２２】
図４に示すように、実施の形態１に係るユーザ検知システム２００は、ユーザ検知装置１と、コンテンツ管理ＰＣ１０とを含む構成である。ユーザ検知装置１とコンテンツ管理ＰＣ１０とは、ＬＡＮ（Ｌｏｃａｌ  Ａｒｅａ  Ｎｅｔｗｏｒｋ）ケーブルあるいはＵＳＢ（Ｕｎｉｖｅｒｓａｌ  Ｓｅｒｉａｌ  Ｂｕｓ）ケーブル等の有線ケーブル、または無線ネットワークを介して、データあるいは情報が送受信可能に接続される。
【００２３】
ユーザ検知装置１は、タッチパネル１０１と、検知部１０２と、通信部１０３と、表示制御部１０４とを含む構成である。
【００２４】
タッチパネル１０１は、例えばディスプレイ２およびセンサ３を有する。検知部１０２は、例えばセンサ制御部４、送信部５、受信部６および選択部７を有する。
【００２５】
ディスプレイ２は、例えばＬＣＤ（Ｌｉｑｕｉｄ  Ｃｒｙｓｔａｌ  Ｄｉｓｐｌａｙ）等により構成され、テーブル１ａの上面側に配置され、表示制御部１０４による制御の下で、コンテンツ管理ＰＣ１０から送られたコンテンツ画像等のデータを表示する。
【００２６】
センサ３は、例えば格子状に形成された複数の電極を有し、ディスプレイ２の上面に配置され、保護ガラスと一体となっている。
【００２７】
センサ制御部４は、送信部５および受信部６を介してセンサ３（言い換えると、タッチパネル１０１）に対する１人以上のユーザの操作を検知し、その検知されたセンサ３上の位置情報（つまり座標）等を、所定のデータフォーマット（図１２参照）に格納して通信部１０３に送る。また、センサ制御部４は、マット電極８の接続先を送信部５または受信部６に切り替えるために選択部７に対して指示する。
【００２８】
送信部５は、センサ制御部４からの指示に基づいて、センサ３に対してパルス等の所定のパターン信号を送信する。
【００２９】
受信部６は、送信部５から送られたパターン信号に対応してユーザの操作に基づくセンサ３からの出力信号を受信し、その出力信号をセンサ制御部４に送る。
【００３０】
選択部７は、センサ制御部４の指示を受けて、マット電極８の接続先を送信部５または受信部６に切り替える。
【００３１】
マット電極８（言い換えると、床電極）は、マット１ｂに設けられた検知電極であり、それぞれのマット１ｂ毎に設けられている。なお、このマット１ｂには、グランドが設けられており、このグランドとマット電極８との間に所定の容量を形成している。
【００３２】
なお、このマット電極８の大きさは、使用環境に応じて自由に決めることができ、このマット電極８を用いてユーザを特定する場合には、例えば５０ｃｍ×５０ｃｍのような一人のユーザのみしか接触できない大きさが好ましい。ただし、ユーザが操作中に移動することが考えられる場合には、例えば移動方向に拡張した５０ｃｍ×１００ｃｍのような大きさが好ましい。主に子どもが操作することが想定される場合には、例えば少し小さめの３０ｃｍ×３０ｃｍのような大きさが好ましい。
【００３３】
通信部１０３は、コンテンツ管理ＰＣ１０との間のデータあるいは情報の送受信を行う通信回路を用いて構成され、検知部１０２から渡されるデータあるいは情報（具体的には、所定のデータフォーマット（図１２参照）に従って格納されたデータあるいは情報）の送受信を行う。また、通信部１０３は、コンテンツ管理ＰＣ１０から送られたコンテンツのデータを受信して表示制御部１０４に送る。
【００３４】
表示制御部１０４は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）あるいはＦＰＧＡ（Ｆｉｅｌｄ  Ｐｒｏｇｒａｍｍａｂｌｅ  Ｇａｔｅ  Ａｒｒａｙ）を用いて構成されるプロセッサである。表示制御部１０４は、タッチパネル１０１へのデータあるいは情報の表示に関わる処理の実行を制御し、通信部１０３がコンテンツ管理ＰＣ１０から受信したコンテンツのデータを通信部１０３から受け取るとタッチパネル１０１に表示する。
【００３５】
他の外部機器の一例としてのコンテンツ管理ＰＣ１０は、操作部１１と、通信部１２と、メモリ１３と、プロセッサ１４と、コンテンツデータベース１５とを含む構成である。コンテンツ管理ＰＣ（Ｐｅｒｓｏｎａｌ  Ｃｏｍｐｕｔｅｒ）１０は、例えば実施の形態１に係るユーザ検知システム２００の管理者あるいは運用者により使用されるコンピュータである。
【００３６】
操作部１１は、例えばキーボードもしくはマウス、またはこれらの組み合わせにより構成され、ユーザ検知システム２００の管理者あるいは運用者の入力操作を受け付ける。
【００３７】
通信部１２は、ユーザ検知装置１との間のデータあるいは情報の送受信を行う通信回路を用いて構成され、プロセッサ１４から渡されるコンテンツのデータをユーザ検知装置１に送信する。また、通信部１２は、ユーザ検知装置１から送られるタッチ情報データ（後述参照）を受信してプロセッサ１４に渡す。
【００３８】
メモリ１３は、例えばＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）を用いて構成され、コンテンツ管理ＰＣ１０の動作の実行に必要なプログラムやデータ、更には、動作中に生成された情報またはデータ等を一時的に保存する。ＲＡＭは、例えばプロセッサ１４の動作時に使用されるワークメモリである。ＲＯＭは、例えばプロセッサ１４を制御するためのプログラムおよびデータを予め記憶する。
【００３９】
プロセッサ１４は、例えばＣＰＵ、ＤＳＰあるいはＦＰＧＡを用いて構成され、コンテンツ管理ＰＣ１０の各部の動作を制御する。プロセッサ１４は、コンテンツ管理ＰＣ１０の制御部として機能し、コンテンツ管理ＰＣ１０の各部の動作を全体的に統括するための制御処理、コンテンツ管理ＰＣ１０の各部との間のデータの入出力処理、データの演算（計算）処理およびデータの記憶処理を行う。プロセッサ１４は、メモリ１３に記憶されたプログラムおよびデータに従って動作する。
【００４０】
プロセッサ１４は、例えばユーザ検知装置１から送られたタッチ情報データ（後述参照）に基づいて、タッチパネル１０１に表示するコンテンツを選択してコンテンツデータベース１５から読み出す。プロセッサ１４は、読み出されたコンテンツのデータを、通信部１２を介してユーザ検知装置１に送る。これにより、１人以上のユーザは、ディスプレイ２に表示されているコンテンツに対応して、タッチパネル１０１に対するタッチ操作が可能となる。具体的には、ユーザ検知装置１の表示制御部１０４は、タッチパネル１０１に表示されているコンテンツの表示位置を変更したり、コンテンツを拡大縮小したり、他のコンテンツに切り替えて表示したりすることが可能となる。
【００４１】
コンテンツデータベース１５は、例えばＨＤＤ（Ｈａｒｄ  Ｄｉｓｋ  Ｄｒｉｖｅ）あるいはＳＳＤ（Ｓｏｌｉｄ  Ｓｔａｔｅ  Ｄｒｉｖｅ）を用いて構成され、タッチパネル１０１に表示されるコンテンツのデータを記憶している。コンテンツは、例えば複数人がユーザ検知装置１を取り囲んで遊ぶゲーム（例えば複数人による同時モグラ叩き）で使用される登場人物あるいはキャラクター等または関連する画像、動画、音楽、音声等である。
【００４２】
次に、センサ３およびマット電極８の詳細について図５を用いて説明する。図５は、実施の形態１に係るユーザ検知装置１の詳細図である。
【００４３】
センサ３は上述したように格子上に形成された複数の電極からなるセンサであり、送信部５の出力Ｔｘ１，Ｔｘ２，Ｔｘ３，Ｔｘ４，Ｔｘ５にそれぞれ接続される送信電極と、受信部６の入力Ｒｘ１，Ｒｘ２，Ｒｘ３，Ｒｘ４，Ｒｘ５，Ｒｘ６，Ｒｘ７，Ｒｘ８にそれぞれ接続される受信電極とから構成される。送信電極と受信電極とは、それぞれ任意の数が設けられてよい。
【００４４】
また、マット電極８は複数存在し、任意の数設けてよいが、図５では３つのマット電極８ａ，８ｂ，８ｃが設けられている。
【００４５】
それぞれのマット電極８ａ，８ｂ，８ｃは選択部７を介して、送信部５と受信部６のそれぞれに接続されており、具体的には、マット電極８ａは、送信部５の出力Ｔｘ６と受信部６の入力Ｒｘ９との間を、選択部７を介して接続されている。マット電極８ｂは、送信部５の出力Ｔｘ７と受信部６の入力Ｒｘ１０との間を、選択部７を介して接続されている。マット電極８ｃは、送信部５の出力Ｔｘ８と受信部６の入力Ｒｘ１１との間を、選択部７を介して接続されている。なお、マット電極８は、選択部７のスイッチにより送信部５または受信部６のどちらかに電気的に接続される。
【００４６】
なお、マット電極８が接続される送信部５の出力、および受信部６の入力は、センサ３で用いられる入出力の一部を流用することが好ましいが、別途マット電極８のために設けてもよい。別途設ける場合においても、センサ３とマット電極８との結果は、センサ制御部４において判断される。
【００４７】
ここで、マット電極８ａ，８ｂ，８ｃは、それぞれＩＤ１，ＩＤ２，ＩＤ３が対応付けられている。
【００４８】
図６は、マット電極８がＴｘ側（図では一例としてＴｘ８）に接続された場合の実施の形態１に係るユーザ検知装置１の模式図である。Ｔｘ側とユーザ９０１との間の静電容量をＣ１、マット電極８と接続電極１ｅｃとの間の静電容量をＣ２、ユーザ９０１とマット電極８との間の静電容量をＣ３としている。
【００４９】
図７は、マット電極８がＴｘ側（図では一例としてＴｘ８）に接続された場合の実施の形態１に係るユーザ検知装置１の回路図である。送信部５、脚部１ｃ内の電線１ｄ、接続電極１ｅｃ、マット電極８、ユーザ９０１、受信部６が直列に接続されている。接続電極１ｅｃとマット電極８とを容量結合したことによる影響について説明する。Ｃ１を構成する面はユーザ９０１の指とセンサ３との接触面である。Ｃ２を構成する面は接続電極１ｅｃ（つまり脚部１ｃの裏面）とマット電極８との接触面である。Ｃ３を構成する面はユーザ９０１の足の裏とマット電極８との接触面である。ユーザ９０１の指がセンサ３に接触する面積は、接続電極１ｅｃ（つまり脚部１ｃの裏面）やユーザ９０１の足の裏がマット電極８と接触する面積よりも十分小さい。従って、Ｃ１はＣ２，Ｃ３に対して非常に小さい。図７の回路の合成容量Ｃは、Ｃ＝Ｃ１＊Ｃ２＊Ｃ３／（Ｃ１＊Ｃ２＋Ｃ２＊Ｃ３＋Ｃ３＊Ｃ１）となる。よって、Ｃ≒Ｃ１という近似が成立する。つまり、接続電極１ｅｃとマット電極８を導通ではなく、容量結合しても、回路への影響は少ないということになる。
【００５０】
図８は、マット電極８がＲｘ側（図では一例としてＲｘ９）に接続された場合の実施の形態１に係るユーザ検知装置１の回路図である。ここで、Ｒｘ側とユーザ９０１との間の静電容量をＣ４としている。なお、Ｃ２，Ｃ３は先述の通りであるため、重複する説明を省略する。送信部５、ユーザ９０１、マット電極８、接続電極１ｅｃ、脚部１ｃ内の電線１ｄ、受信部６が直列に接続されている。接続電極１ｅｃとマット電極８とを容量結合したことによる影響について説明する。Ｃ４を構成する面はユーザ９０１の指とセンサ３との接触面である。なお、Ｃ２を構成する面、Ｃ３を構成する面はそれぞれ先述の通りであるため、重複する説明を省略する。ユーザ９０１の指がセンサ３に接触する面積は、接続電極１ｅｃ（つまり脚部１ｃの裏面）やユーザ９０１の足の裏がマット電極８と接触する面積よりも十分小さい。従って、Ｃ４はＣ２，Ｃ３に対して非常に小さい。図９の回路の合成容量Ｃは、Ｃ＝Ｃ４＊Ｃ２＊Ｃ３／（Ｃ４＊Ｃ２＋Ｃ２＊Ｃ３＋Ｃ３＊Ｃ４）となる。よって、Ｃ≒Ｃ４という近似が成立する。つまり、接続電極１ｅｃとマット電極８を導通ではなく、容量結合しても、回路への影響はないということになる。
【００５１】
［１−３．動作］
以上のように構成されたユーザ検知装置１について、その動作を図９〜図１１を用いて説明する。
【００５２】
図９は、実施の形態１に係る２人のユーザの位置とタッチ操作との関係を示した図である。図９では、ユーザ検知装置１とユーザＡ、ユーザＢを模式的に表している。なお、ユーザを２人としているが何人でもよい。
【００５３】
ユーザＡはマット電極８ａ（ＩＤ１）上に位置し、センサ３中のタッチＡ１（ｘ軸方向としては受信部６の入力Ｒｘ２と入力Ｒｘ３とそれぞれ接続された受信電極の中間近傍、ｙ軸方向としては送信部５の出力Ｔｘ１と出力Ｔｘ２とそれぞれ接続された送信電極の中間近傍）をタッチしている。
【００５４】
また、ユーザＢはマット電極８ｃ（ＩＤ３）上に位置し、センサ３中のタッチＢ１（ｘ軸方向としては受信部６の入力Ｒｘ７と接続された受信電極上、ｙ軸方向としては送信部５の出力Ｔｘ５と接続された送信電極上）をタッチしている。
【００５５】
上記タッチ操作が行われた場合のユーザ検知装置１の動作について、図１０を用いて説明する。図１０は、実施の形態１に係るユーザ検知装置１の動作タイミング図である。
【００５６】
先ず、送信部５は、センサ制御部４からの指示に基づいて、センサ３の送信電極と接続されている出力Ｔｘ１から順に、出力Ｔｘ２，Ｔｘ３，Ｔｘ４，Ｔｘ５と順次所定パルスを出力する。この所定パルスは、それぞれの出力タイミングを変えることで出力毎（Ｔｘ１，Ｔｘ２，・・・）に一意に識別できるようにしているが、複数のパルスを組み合わせ、同じタイミング出力し、出力毎（Ｔｘ１，Ｔｘ２，・・・）に一意に識別するようにしてもよい。
【００５７】
この期間においては、センサ制御部４は、選択部７においてマット電極８ａ，８ｂ，８ｃと受信部６の入力Ｒｘ９，Ｒｘ１０、Ｒｘ１１とがそれぞれ接続されるように制御する。
【００５８】
この時、受信部６のセンサ３の受信電極と接続されている入力Ｒｘ１〜入力Ｒｘ８には、所定パルスに対応したセンサ３の各交点容量に応じた受信信号レベルが検出されるため、ユーザＡのタッチしたタッチＡ１、ユーザＢのタッチしたタッチＢ１に対応する受信信号レベル（破線枠α内にて実線で記載）はタッチしてないときの受信信号レベル（破線枠α内にて破線で記載）より減少する。この受信信号レベルに基づいて、センサ制御部４は、タッチＡ１、タッチＢ１のそれぞれのタッチ座標（ｘ，ｙ）を算出する。
【００５９】
このとき、受信信号レベルの減少率は、電極に近いほど大きくなる。つまり、電極上をタッチされている電極に接続されている受信部６の入力ＲＸ７が最も減少率が大きくなっている。
【００６０】
さらに、ユーザＡがタッチＡ１にタッチしているため、送信部５の出力Ｔｘ１と出力Ｔｘ２にそれぞれ接続された送信電極に供給される所定パルスをユーザＡのタッチした指および人体を介して、マット電極８ａ、選択部７、受信部６の入力Ｒｘ９にて、破線枠β内の左上に実線にて示すような信号として検出する。
【００６１】
同様にユーザＢがタッチＢ１にタッチしているため、送信部５の出力Ｔｘ５に接続された送信電極に供給される所定パルスをユーザＢのタッチした指および人体を介して、マット電極８ｃ、選択部７、受信部６の入力Ｒｘ１１にて、破線枠β内の右下に実線にて示すような信号として検出する。なお、破線枠β内の同箇所の破線はタッチされてない場合の状態を示す。
【００６２】
このとき、受信信号レベルの増加は、電極に近いほど大きくなる。つまり、電極上をタッチされている電極に接続されている送信部５の出力Ｔｘ５が出力されている時の受信レベルが最も大きくなる。
【００６３】
出力Ｔｘ５に引き続いて、送信部５は、出力Ｔｘ６，Ｔｘ７，Ｔｘ８と順次所定パルス出力する。この期間においては、センサ制御部４は、選択部７においてマット電極８ａ，８ｂ，８ｃと送信部５の出力Ｔｘ６，Ｔｘ７，Ｔｘ８とがそれぞれ接続されるように制御する。
【００６４】
この時、出力Ｔｘ６から供給される所定パルスは、選択部７、マット電極８ａ、ユーザＡ人体およびタッチした指を介してセンサ３の受信部６の入力Ｒｘ２および入力Ｒｘ３と接続される受信電極に伝送され、受信部６は破線枠γ内の左上の実線に示す信号を検出する。なお、破線枠γ内の同箇所の破線はタッチされてない場合の状態を示す。
【００６５】
同様に出力Ｔｘ８から供給される所定パルスは、選択部７、マット電極８ｃ、ユーザＢ人体およびタッチした指を介してセンサ３の受信部６の入力Ｒｘ６、入力Ｒｘ７および入力Ｒｘ８と接続される受信電極に伝送され、受信部６は破線枠γ内の右下の実線に示す信号を検出する。同様に破線枠γ内の同箇所の破線はタッチされてない場合の状態を示す。
【００６６】
このとき、受信信号レベルの増加は、電極に近いほど大きくなる。つまり、電極上をタッチされている電極に接続されている受信部６の入力Ｒｘ７の受信レベルが最も大きくなる。
【００６７】
以上が１フレームに相当する動作タイミングであり、ユーザ検知装置１は、この動作を繰り返す。
【００６８】
このように、ある任意のフレーム（第ｎフレーム）にて、センサ制御部４は、センサ３と接続されている送信部５の出力Ｔｘ１〜Ｔｘ５、および受信部６の入力Ｒｘ１〜Ｒｘ８とから構成される部分により、破線枠αに示す受信信号レベルに基づいて各ユーザのタッチ座標を算出する。この部分は通常の静電マトリクスセンサ型タッチパネルと同様である。
【００６９】
同時にセンサ制御部４は、送信部５の出力Ｔｘ１〜Ｔｘ５、これらと接続されているセンサ３の送信電極、タッチ操作しているユーザ自身の人体、マット電極８ａ、マット電極８ｂ、マット電極８ｃ、受信部６の入力Ｒｘ９，Ｒｘ１０，Ｒｘ１１とから構成される部分により、さらに情報を取得する。具体的には、破線枠βに示す受信信号レベルに基づいて各マット電極８に対応したＩＤと各ユーザのタッチ座標のｙ軸方向を算出する。
【００７０】
さらに、センサ制御部４は、送信部５の出力Ｔｘ６〜Ｔｘ８、マット電極８ａ、マット電極８ｂ、マット電極８ｃ、タッチ操作しているユーザ自身の人体、マット電極８ａ、マット電極８ｂ、マット電極８ｃ、受信部６の入力Ｒｘ１〜Ｒｘ８とから構成される部分により、さらに情報を取得する。具体的には、センサ制御部４は、破線枠γに示す受信信号レベルに基づいてマット電極８に対応したＩＤとユーザのタッチ座標のｘ軸方向を算出する。
【００７１】
ここで、ユーザ検知装置１の受信データのイメージについて図１１を用いて、タッチ座標とユーザとの関連付けに関して説明する。図１１は、実施の形態１に係るユーザ検知装置１の受信データのイメージ図である。
【００７２】
図１１は、第ｎフレームの一連の動作により、受信部６で得られる受信データのイメージを示したものであり、タッチされてない基準状態に対して、丸は変化があることを示し、その大きさは変化を示し、丸が大きいほど変化が大きいことを示す。また、丸が無い部分に関しては変化がない、つまりタッチされていないことを示す。
【００７３】
センサ制御部４は、図１１中の破線枠α内に示す受信データに基づいて、タッチ座標を求める。この場合、隣接する複数の電極にまたがってほぼ同じ変化が検知されているため、タッチ座標（ｘ，ｙ）は（入力Ｒｘ２と入力Ｒｘ３に接続される受信電極の中間、出力Ｔｘ１と出力Ｔｘ２に接続される送信電極の中間）と算出される。
【００７４】
また、破線枠α内には、他の隣接する複数の電極にまたがって変化が検知されているが、周辺の変化に比べて中心の変化が十分大きいため、タッチ座標（ｘ，ｙ）は、（入力Ｒｘ７に接続される受信電極上、出力Ｔｘ５に接続される送信電極上）と算出され、破線枠α内に２つのタッチ座標が検出される。
【００７５】
なお、上記算出方法は、通常の静電センサ型タッチパネルと 同様であり、算出方法は任意に決めてもよい。
【００７６】
なお、以後の説明では、それぞれの電極に対応するタッチ座標（ｘ，ｙ）を入力Ｒｘ、出力Ｔｘを用いて表す。具体的には、複数の電極の間にある場合、例えば、上記のように入力Ｒｘ２と入力Ｒｘ３に接続される受信電極の中間である場合、Ｒｘ２Ｒｘ３と表し、入力Ｒｘ７に接続される受信電極上にある場合、Ｒｘ７と表す。例えば、上記の例では、（ｘ，ｙ）は、（Ｒｘ２Ｒｘ３，Ｔｘ１Ｔｘ２）および（Ｒｘ７，Ｔｘ５）となる。
【００７７】
また、センサ制御部４は、図１１の破線枠β内に示す受信データに基づいて、ユーザＡ自身、マット電極８ａ（ＩＤ１）を介した受信部６の入力Ｒｘ９の受信データより、ＩＤ付きｙ座標（ＩＤ，ｙ）＝（１，Ｔｘ１Ｔｘ２）を算出する。
【００７８】
また、同様に図１１の破線枠β内に示す受信データに基づいて、ユーザＢ自身、マット電極８ｃ（ＩＤ３）を介した受信部６の入力Ｒｘ１１の受信データより、ＩＤ付きｙ座標（ＩＤ，ｙ）＝（３，Ｔｘ５）を算出する。
【００７９】
続いてセンサ制御部４は、図１１の破線枠γ内に示す受信データに基づいて、送信部５の出力Ｔｘ６、ユーザＡ自身、マット電極８ａ（ＩＤ１）、を介した受信部６の入力Ｒｘ１〜Ｒｘ８のデータより、ＩＤ付きｘ座標（ＩＤ，ｘ）＝（１，Ｒｘ２Ｒｘ３）を算出する。
【００８０】
また、同様に図１１の破線枠γ内に示す受信データに基づいて、送信部５の出力Ｔｘ８、ユーザＢ自身、マット電極８ｃ（ＩＤ３）を介した受信部６を介した受信部６の入力Ｒｘ１〜Ｒｘ８のデータより、ＩＤ付きｘ座標（ＩＤ，ｘ）＝（３，Ｒｘ７）を算出する。
【００８１】
センサ制御部４は、上記それぞれの領域で検出したタッチ座標、ＩＤ付きｙ座標、ＩＤ付きｘ座標を組み合わせることで、ＩＤ付きタッチ座標を算出する。つまり、（ＩＤ、ｘ、ｙ）＝（１，Ｒｘ２Ｒｘ３，Ｔｘ１Ｔｘ２）、（ＩＤ、ｘ、ｙ）＝（３、Ｒｘ７，Ｔｘ）となる２組のＩＤ付きｘｙ座標を算出する。
【００８２】
このＩＤ付きｘｙ座標と一致するタッチ座標を紐付けることで、タッチ座標にＩＤを紐付けることができる。具体的には、ＩＤ付きタッチ座標（ＩＤ、ｘ、ｙ）＝（１，Ｒｘ２Ｒｘ３，Ｔｘ１Ｔｘ２）、（ＩＤ、ｘ、ｙ）＝（３、Ｒｘ７，Ｔｘ５）となる。
【００８３】
これにより、複数のユーザがタッチ操作したそれぞれの座標に対して、それぞれのユーザの操作位置、即ちマット電極８に対応したＩＤを紐付けることができる。特に、マット電極８にユーザが関連付けられている場合、このＩＤをユーザの識別情報として用いることもできる。
【００８４】
なお、このＩＤ付きタッチ座標は、タッチ情報データとして、図１２に示す所定のデータフォーマットに従って検知部１０２から通信部１０３に渡される。通信部１０３は、検知部１０２から渡されたタッチ情報データを、コンテンツ管理ＰＣに送る。コンテンツ管理ＰＣ１０は、ユーザ検知装置１から送られたタッチ情報データ（つまりＩＤ付きタッチ座標）に基づき、ディスプレイ２に表示するコンテンツを決定する。
【００８５】
図１２は、実施の形態１に係るユーザ検知装置１から伝送されるタッチ情報データのデータフォーマットを示す図である。図１２では、タッチパネル１０１に対して、例えば一度に（言い換えると、既定の一回分の検知周期内にあるいは同時に。以下同様。）最大１０個のタッチ操作が検知された時（最大１０個のタッチ操作が同時に行われた時）のタッチ情報データのデータフォーマットが例示されている。このデータフォーマットは、例えばＷｉｎｄｏｗｓ（登録商標）等の標準的かつ汎用的なＯＳに予めインストールされているデバイスドライバにより使用されるフォーマットである。なお、タッチ情報データのヘッダ領域の図示は省略されている。
【００８６】
つまり、タッチ情報データは、最大１０個のタッチ情報を一度に保持可能なデータフォーマットに従ったデータ構造を有する。それぞれのタッチ情報は、ＩＤフィールドの欄と、Ｘ座標の欄と、Ｙ座標の欄とにより構成される。ＩＤフィールドの欄と、Ｘ座標の欄と、Ｙ座標の欄は、それぞれ例えば２進数の「０」あるいは「１」が格納される８桁のビット構造を有する。例えば、第１のタッチ情報Ｗ１は、ＩＤフィールドＩＤＦ１の情報データとＸ座標Ｘ１の情報データとＹ座標Ｙ１の情報データとを有する。第２のタッチ情報Ｗ２は、ＩＤフィールドＩＤＦ２の情報データとＸ座標Ｘ２の情報データとＹ座標Ｙ２の情報データとを有する。同様に、第１０のタッチ情報Ｗ１０は、ＩＤフィールドＩＤＦ１０の情報データとＸ座標Ｘ１０の情報データとＹ座標Ｙ１０の情報データとを有する。
【００８７】
図１２において、合計８桁のビット構造を有するＩＤフィールド（例えばＩＤフィールドＩＤＦ１）のうち上位４桁（ビット４，ビット５，ビット６，ビット７）は、タッチ操作者識別ＩＤを示す。タッチ操作者識別ＩＤは、対応するタッチ情報のＸ座標およびＹ座標（つまりタッチ位置）のタッチ操作を行ったユーザの位置（言い換えると、マット電極８が配置されたマット１ｂ）を示す情報である。例えば、ビット４の桁は第１のマット１ｂ（ＩＤ１）に対応し、ビット５の桁は第２のマット１ｂ（ＩＤ２）に対応し、ビット６の桁は第３のマット１ｂ（ＩＤ３）に対応し、ビット７の桁は第４のマット１ｂ（ＩＤ４）に対応する。
【００８８】
また、合計８桁のビット構造を有するＩＤフィールド（例えばＩＤフィールドＩＤＦ１）のうち下位４桁（ビット０，ビット１，ビット２，ビット３）は、マルチタッチ識別ＩＤを示す。マルチタッチ識別ＩＤは、ユーザ検知装置１により一度に（言い換えると、既定の一回分の検知周期内に）検知された１つ以上のタッチ操作を識別するための情報である。
【００８９】
ここで、図１３、図１４および図１５を参照して、タッチ情報データの具体例を説明する。図１３は、タッチ情報の第１例を示す図である。図１４は、タッチ情報の第２例を示す図である。図１５は、タッチ情報の第３例を示す図である。図１３〜図１５において、タッチ情報のＸ座標およびＹ座標は図示を省略している。
【００９０】
図１３に示すように、タッチ情報のＩＤフィールドＩＤＦ１１では、合計８桁のビット構造のうち下位４桁のビット構造（つまりマルチタッチ識別ＩＤ）は「００００」、上位４桁のビット構造（つまりタッチ操作者識別ＩＤ）は「０００１」となっている。このＩＤフィールドＩＤＦ１１は、ユーザ検知装置１により、「ＩＤ１」のマット電極８に操作者（ユーザ）が位置しており、この操作者は１つのタッチ操作をタッチパネル１０１に行ったことが検知されたことを示している。
【００９１】
これにより、ユーザ検知装置１は、Ｗｉｎｄｏｗｓ（登録商標）等の標準的かつ汎用的なＯＳで提供されるデバイスドライバが使用するデータフォーマットを利用して、どのマット電極８に位置しているユーザがタッチパネル１０１に対してタッチ操作したことを示すタッチ情報データを１つのデータフォーマットで簡単に生成できる。
【００９２】
図１４に示すように、タッチ情報のＩＤフィールドＩＤＦ１２ａでは、合計８桁のビット構造のうち下位４桁のビット構造（つまりマルチタッチ識別ＩＤ）は「００００」、上位４桁のビット構造（つまりタッチ操作者識別ＩＤ）は「０１００」となっている。また、タッチ情報のＩＤフィールドＩＤＦ１２ｂでは、合計８桁のビット構造のうち下位４桁のビット構造（つまりマルチタッチ識別ＩＤ）は「０００１」、上位４桁のビット構造（つまりタッチ操作者識別ＩＤ）は「０１００」となっている。これらのＩＤフィールドＩＤＦ１２ａ，１２ｂは、ユーザ検知装置１により、「ＩＤ３」のマット電極８に操作者（ユーザ）が位置しており、この操作者は一度に（言い換えると、既定の一回分の検知周期内にあるいは同時に。以下同様。）２つのタッチ操作（例えば、左手の人指し指と右手の人差し指を使ったタッチ操作）をタッチパネル１０１に行ったことが検知されたことを示している。
【００９３】
これにより、ユーザ検知装置１は、Ｗｉｎｄｏｗｓ（登録商標）等の標準的かつ汎用的なＯＳで提供されるデバイスドライバが使用するデータフォーマットを利用して、１人のユーザがタッチパネル１０１に対して一度に複数のタッチ操作したことを示すタッチ情報データを１つのデータフォーマットで簡単に生成でき、ユニークな拡張性を提供できる。
【００９４】
図１５に示すように、タッチ情報のＩＤフィールドＩＤＦ１３ａでは、合計８桁のビット構造のうち下位４桁のビット構造（つまりマルチタッチ識別ＩＤ）は「００００」、上位４桁のビット構造（つまりタッチ操作者識別ＩＤ）は「００１１」となっている。また、タッチ情報のＩＤフィールドＩＤＦ１３ｂでは、合計８桁のビット構造のうち下位４桁のビット構造（つまりマルチタッチ識別ＩＤ）は「０００１」、上位４桁のビット構造（つまりタッチ操作者識別ＩＤ）は「００１１」となっている。これらのＩＤフィールドＩＤＦ１３ａ，１３ｂは、ユーザ検知装置１により、「ＩＤ１」および「ＩＤ２」の両方のマット電極８に操作者（ユーザ）が跨って位置しており、この操作者は一度に（言い換えると、既定の一回分の検知周期内にあるいは同時に。以下同様。）２つのタッチ操作（例えば、左手の人指し指と右手の人差し指を使ったタッチ操作）をタッチパネル１０１に行ったことが検知されたことを示している。
【００９５】
これにより、ユーザ検知装置１は、Ｗｉｎｄｏｗｓ（登録商標）等の標準的かつ汎用的なＯＳで提供されるデバイスドライバが使用するデータフォーマットを利用して、１人のユーザが複数のマット電極８に跨って位置してタッチ操作したことを示すタッチ情報データを１つのデータフォーマットで簡単に生成でき、ユニークな拡張性を提供できる。
【００９６】
次に、実施の形態１に係るユーザ検知装置１の動作手順について、図１６を参照して説明する。図１６は、実施の形態１に係るユーザ検知装置１の動作手順例を示すフローチャートである。
【００９７】
図１６において、ユーザ検知装置１の検知部１０２は、図９〜図１１を参照した説明（上述参照）に基づいて、少なくとも１つのマット電極８（言い換えると、タッチ操作者識別ＩＤ）と関連付けられる、少なくとも１つのタッチ座標を検知したか否かを判断する（Ｓｔ１）。少なくとも１つのマット電極８（言い換えると、タッチ操作者識別ＩＤ）と関連付けられる、少なくとも１つのタッチ座標が検知されるまで（Ｓｔ１、ＮＯ）、ユーザ検知装置１の検知部１０２は、ステップＳｔ１の判断を継続する。
【００９８】
ユーザ検知装置１の検知部１０２は、少なくとも１つのマット電極８（言い換えると、タッチ操作者識別ＩＤ）と関連付けられる、少なくとも１つのタッチ座標を検知したと判断した場合（Ｓｔ１、ＹＥＳ）、その検知されたタッチ操作に係るタッチ情報データを取得する。検知部１０２は、所定のデータフォーマット（図１２参照）に従って、検知されたタッチ操作に係るタッチ情報データを生成して通信部１０３に送出する（Ｓｔ２）。通信部１０３は、検知部１０２から渡されたタッチ情報データをコンテンツ管理ＰＣ１０に送る。
【００９９】
コンテンツ管理ＰＣ１０は、ユーザ検知装置１から送られたタッチ情報データに応じて、タッチパネル１０１に表示するためのコンテンツのデータをコンテンツデータベース１５から選択してユーザ検知装置１に送る。
【０１００】
ユーザ検知装置１の通信部１０３は、コンテンツ管理ＰＣ１０からタッチパネル１０１に表示するためのコンテンツのデータを受信した場合に（Ｓｔ３、ＹＥＳ）、そのコンテンツのデータを表示制御部１０４に送る。通信部１０３は、コンテンツ管理ＰＣ１０からタッチパネル１０１に表示するためのコンテンツのデータを受信するまで待機する（Ｓｔ３、ＮＯ）。表示制御部１０４は、通信部１０３から渡されたコンテンツのデータを取得してタッチパネル１０１に表示する（Ｓｔ４）。
【０１０１】
［１−３．効果等］
【０１０２】
以上により、実施の形態１に係るユーザ検知装置１は、タッチパネル１０１と、タッチパネル１０１を支持する脚部１ｃと、脚部１ｃに設けられた接続電極１ｅｃと、接続電極１ｅｃに対向して設けられたマット電極８（検知電極の一例）と、接続電極１ｅｃと接続する電線１ｄとを有する。ユーザ検知装置１は、電線１ｄを介して接続電極１ｅｃと電気的に接続され、タッチパネル１０１からの信号とマット電極８からの信号とを基に、ユーザのタッチパネル１０１に対するタッチ位置とユーザの位置とを検知する検知部１０２を有する。ユーザ検知装置１は、所定のデータフォーマット（図１２参照）にタッチ位置の情報とユーザの位置の情報との両方を含めて他の外部機器（例えばコンテンツ管理ＰＣ１０）に伝送する通信部１０３を有する。
【０１０３】
これにより、ユーザ検知装置１によれば、タッチパネル１０１の構成を利用しつつ、ユーザのタッチパネル１０１上のタッチ座標に加えて、ユーザの操作位置を検知することができる。つまり、ユーザ検知装置１は、簡単な構成で、ユーザの操作（タッチ座標と操作位置）を検知することができるので、複数のタッチ操作を区別することができ、ユーザの識別等に利用することができる。
【０１０４】
また、ユーザ検知装置１によれば、複数人によるタッチパネル１０１への操作に関するタッチ座標およびタッチパネル操作者の情報を同一のデータフォーマットに格納できたタッチ情報データを生成できる。ユーザ検知装置１は、このタッチ情報データを、Ｗｉｎｄｏｗｓ（登録商標）等の標準的かつ汎用的なＯＳに予めインストールされているデバイスドライバにより使用されるデータフォーマット（図１２参照）を用いて他の外部機器に伝送できる。従って、ユーザ検知装置１の開発者の視点からすると、タッチ操作者のユーザＩＤとタッチ座標のデータとを他の外部機器にそれぞれ伝送するためのデバイスドライバを別個に開発（作成）する必要がなくなり、開発コストの上昇を抑制できる。また、コンテンツ管理ＰＣ１０等の外部機器は、ユーザ検知装置１から送られたタッチ情報データのデータフォーマットを参照するだけで、どのマット電極８に位置するユーザがタッチパネル１０１のどの位置にタッチ操作を行ったかを瞬時に判別できる。これにより、コンテンツ管理ＰＣ１０は、１人以上のユーザのタッチ操作に応じて実行するべき処理（例えばコンテンツの選択）をリアルタイムに素早く実行でき、ユーザに対する迅速な応答性を提供できる。
【０１０５】
また、所定のデータフォーマットは、タッチパネル１０１に対して同時に行われる複数のタッチ操作を識別するマルチタッチ識別情報を格納可能である。通信部１０３は、所定のデータフォーマットに、マルチタッチ識別情報をさらに含めて伝送する。これにより、ユーザ検知装置１は、１人以上のユーザがタッチパネル１０１に対して一度に（言い換えると、既定の一回分の検知周期内にあるいは同時に）行ったタッチ操作を全て関連付けてタッチ情報データを生成できる。従って、コンテンツ管理ＰＣ１０は、このデータフォーマットに従ったタッチ情報データの参照により、１人以上のユーザによる複数箇所のタッチ操作（マルチタッチ操作）に係るタッチ位置等を簡易に判別できる。
【０１０６】
また、所定のデータフォーマットは、マルチタッチ識別情報とユーザの位置の情報とを所定桁数のビット構造により指定可能なレコード（例えばＩＤフィールドＩＤＦ１等）を有する。これにより、ユーザ検知装置１は、一度に（言い換えると、既定の一回分の検知周期内にあるいは同時に）検知可能なタッチ操作の数に準じた所定桁数のビット構造を有した１つのレコードで、マルチタッチ識別情報とユーザの位置（言い換えると、マット電極８）との両方を簡易に管理できる。
【０１０７】
また、ユーザ検知装置１は、タッチ位置の情報およびユーザの位置の情報のうち少なくとも一つに基づいて外部機器（例えばコンテンツ管理ＰＣ１０）により選択されたコンテンツのデータを、通信部１０３を介して受信してタッチパネル１０１に表示する表示制御部１０４をさらに有する。これにより、ユーザ検知装置１は、ユーザのタッチパネル１０１に対するタッチ操作に基づいてコンテンツ管理ＰＣ１０により選択されたコンテンツをタッチパネル１０１に表示できて、ユーザのタッチ操作に対する応答性を高めることができる。
【０１０８】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【０１０９】
本開示は、タッチパネル等に適用可能であり、教育、ゲーム等の様々な分野で利用可能である。
【符号の説明】
【０１１０】
１  ユーザ検知装置
１ａ  テーブル
１ｂ  マット
１ｃ  脚部
１ｅｃ  接続電極
２  ディスプレイ
３  センサ
４  センサ制御部
５  送信部
６  受信部
７  選択部
８  マット電極
１０  コンテンツ管理ＰＣ
１１  操作部
１２、１０３  通信部
１３  メモリ
１４  プロセッサ
１５  コンテンツデータベース
１０１  タッチパネル
１０２  検知部
１０４  表示制御部
【図１】
2020119237.tif 000003
【図２】
2020119237.tif 000004
【図３】
2020119237.tif 000005
【図４】
2020119237.tif 000006
【図５】
2020119237.tif 000007
【図６】
2020119237.tif 000008
【図７】
2020119237.tif 000009
【図８】
2020119237.tif 000010
【図９】
2020119237.tif 000011
【図１０】
2020119237.tif 000012
【図１１】
2020119237.tif 000013
【図１２】
2020119237.tif 000014
【図１３】
2020119237.tif 000015
【図１４】
2020119237.tif 000016
【図１５】
2020119237.tif 000017
【図１６】
2020119237.tif 000018